(57)【要約】【課題】  踵部分の前後をしめつけることにより、靴を履く時、踵部分がずれて伸びてだぶつき二重に重なったり、脱ぐ時に腫部分がずれて伸びてだぶつき難い靴下を得る。【解決手段】  第一の弾性糸Ａを土踏まず部分２と踵部分３の境目１０の土踏まず部分２側の近傍に挿入し、第二の弾性糸Ｂを踵部分３とくるぶし部分４の境目２０のくるぶし部分４側近傍に挿入し、足の踵部分３の前後をしめつけて、踵部分３をフィットさせることにより、靴を履く時、踵部分３がずれて伸びてだぶつき二重に重なったり、脱ぐ時に踵部分３がずれて伸びてだぶつき難くした。【選択図】図１
0003149496.tif 000002
【実用新案登録請求の範囲】
【請求項１】
７ゲージから１５ゲージの全自動シームレス５本指靴下編み機を用い、弾性糸を、土踏まず部分と踵部分の境目の土踏まず部分側の近傍と、踵部分とくるぶし部分の境目のくるぶし部分側の近傍に挿入し、踵部分の前後をしめつけることにより、踵をずれ難くしたことを特徴とする靴下。
【考案の詳細な説明】
【技術分野】
【０００１】    この考案は靴下に関し、特に、踵部分をずれ難くした靴下に関するものである。
【背景技術】
【０００２】  従来の５本指靴下は、靴下全体に伸縮糸を挿入し、足首から履き口にゴム糸を挿入した５本指靴下がある。また、足の土踏まず部分に伸縮糸やゴム糸を挿入し、足首から履き口にゴム糸を挿入したものがあり、踵部分で目減らし若しくは目増やしによりかかと部分を形成したものである。（例えば、特許文献１参照。）
【特許文献１】  特開平１１−１０７００３号公報
【考案の開示】
【考案が解決しようとする課題】
【０００３】  上述のような従来の５本指靴下は、靴を履く時、踵部分がずれて伸びてだぶつき二重に重なったり、脱ぐ時に踵部分がずれて伸びてだぶついたりするという問題点があった。【０００４】  この考案は、踵部分の前後をしめつけることにより、靴を履く時や脱ぐ時に踵部分がずれ難く、伸び難く、二重に重なり難い靴下を得ることを目的とする。
【課題を解決するための手段】
【０００５】  本考案の靴下は、弾性糸を、土踏まず部分と踵部分の境目の土踏まず部分側の近傍と、踵部分とくるぶし部分の境目のくるぶし部分側近傍に挿入し、足の踵部分の前後をしめつけて、踵部分をフィットさせることにより、靴を履く時、踵部分がずれて伸びてだぶつき二重に重なったり、脱ぐ時に踵部分がずれて伸びてだぶつき難くしたものである。
【考案の効果】
【０００６】  本考案の靴下は、７ゲージから１５ゲージの全自動シームレス５本指靴下編み機を用い、土踏まず部分と踵部分の境目の土踏まず部分側の近傍に挿入し、踵部分とくるぶし部分の境目のくるぶし部分側近傍に弾性糸を再度挿入し、足の踵部分の前後をしめつけて、踵部分をフィットさせることにより、靴を履く時や脱ぐ時の踵部分のずれを抑制したので、靴を履く時、踵部分がずれて伸びてだぶつき二重に重なったり、脱ぐ時に踵部分がずれて伸びてだぶつき難い靴下を得ることができる。
【考案を実施するための最良の形態】
【０００７】実施の形態１．
図１は、この考案の実施の形態１を示す５本指靴下の図である。図において、１は指袋部分であり、１ａは拇趾用の指袋、１ｂは第二趾用の指袋、１ｃは第三趾用の指袋、１ｄは第四趾用の指袋、１ｅは小趾用の指袋である。２は土踏まず部分、３は踵部分、４はくるぶし部分、５は脹ら脛部分、６は足の挿入口部分である。Ａは第一の弾性糸であり、７ゲージから１５ゲージの全自動シームレス５本指靴下編み機を用い、土踏まず部分２と踵部分３の境目１０の土踏まず部分２側の近傍に、土踏まず部分２より踵部分３編成前までに挿入している。これにより踵部分３の土踏まず部分２側の近傍をしめつけて伸びを抑制することができる。また、Ｂは第二の弾性糸であり、踵部分３とくるぶし部分４の境目２０のくるぶし部分４の近傍に、踵部分３の編成終了後よりくるぶし部分４の下部分まで再度挿入している。これにより、踵部分３のくるぶし部分４をしめつけて伸びを抑制し、足の踵部分３をずれ難くし、踵部分３が延びて二重に重なり難い５本指靴下を得ることが出来る。【０００８】実施の形態２．
図２は、この考案の実施形態２を示すスニーカータイプの先丸靴下の図である。図において、Ｃは第三の弾性糸であり、７ゲージから１５ゲージの全自動シームレス５本指靴下編み機を用い、土踏まず部分２と踵部分３の境目１０の土踏まず部分２側の近傍に、土踏まず部分２より踵部分３編成前までに挿入している。これにより、踵部分３の土踏ます部分２側の近傍をしめつけて伸びを抑制することができる。Ｄは第四の弾性糸であり、踵部分３の編成終了後のレッグ部７のコースを０設定にし、踵部分３編成終了後より、踵部分３とくるぶし部分４の境目２０のくるぶし部分４側の近傍に、くるぶし部分４の下部分から再度第四の弾性糸Ｄを履き口部分６まで挿入している。これにより、スニーカーソックスタイプの履き口部分６まで挿入することにより、足の踵部分３の前後をしめつけて伸びを抑制し、スニーカーソックスタイプの履き口部分６からもずれ難くなり、延びて二重に重なり難いスニーカータイプの先丸靴下を得ることができる。【０００９】実施の形態３．
図３は、この考案の実施の形態３を示す指付靴下の図である。図において、Ｅは第五の弾性糸であり、土踏まず部分２と踵部分３の境目１０の土踏まず部分２側の近傍に、土踏まず部分２より踵部分３編成前までに挿入している。これにより、土踏まず部分２にゴム糸が挿入されていないタイプにおいて、土踏まず部分２側の近傍をしめつけて伸びを抑制する。Ｆは第六の弾性糸であり、踵部分３とくるぶし部分４の境目２０のくるぶし部分４側の近傍に、踵部分３の編成終了後よりくるぶし部分４の下部分まで再度挿入している。これにより、踵部分３のくるぶし部分４をしめつけて伸びを抑制し、足の踵部分３を締め付けることによりずれ難くし、延びて二重に重なり難い指付靴下を得ることができる。
【図面の簡単な説明】
【００１０】
【図１】  この考案の実施の形態１を示す５本指靴下の図である。
【図２】  この考案の実施の形態２を示すスニーカータイプの先丸靴下の図である。
【図３】  この考案の実施の形態３を示す指付靴下の図である。
【符号の説明】
【００１１】１  指袋部分、１ａ  拇趾用の指袋、１ｂ  第二趾用の指袋、１ｃ  第三趾用の指袋、１ｄ  第四趾用の指袋、１ｅ  小趾用の指袋、２  土踏まず部分、３  踵部分、４  くるぶし部分、５  脹ら脛部分、６  足の挿入口部分、７  レッグ部、１０  土踏まず部分と踵部分の境目、２０  踵部分とくるぶし部分の境目、Ａ  第一の弾性糸、Ｂ  第二の弾性糸、Ｃ  第三の弾性糸、Ｄ  第四の弾性糸、Ｅ  第五の弾性糸、Ｆ  第六の弾性糸
【図１】
0003149496.tif 000003
【図２】
0003149496.tif 000004
【図３】
0003149496.tif 000005
【手続補正書】
【提出日】平成20年12月19日(2008.12.19)
【手続補正１】
【補正対象書類名】実用新案登録請求の範囲
【補正対象項目名】全文
【補正方法】変更
【補正の内容】
【実用新案登録請求の範囲】
【請求項１】
指袋部分と、土踏まず部分と、踵部分と、くるぶし部分と、脹ら脛部分と、足の挿入口部分から構成される靴下において、上記土踏まず部分と上記踵部分の境目の上記土踏まず部分側の近傍に弾性糸を挿入し、上記踵部分と上記くるぶし部分の境目の上記くるぶし部分側の近傍に弾性糸を挿入し、しめつけて伸びを抑制させる部分を設けたことを特徴とする靴下。